(57)【要約】      （修正有）【課題】無線ネットワークアクセス制御方法、装置、およびシステムを提供する。【解決手段】制御装置によって、ユーザ装置が送信した無線ネットワークアクセス要求メッセージを受信するステップであって、無線ネットワークアクセス要求メッセージは、少なくとも1つの無線ネットワークの識別子を含む、ステップと、無線ネットワークの識別子に対応する制御ポリシーパラメータを判定するステップであって、制御ポリシーパラメータは、無線ネットワークの識別子と、アクセスパスワードと、既定のアクセス条件パラメータを含む、ステップと、制御ポリシーパラメータ内の既定のアクセス条件パラメータに従って、無線ネットワークの現アクセス条件パラメータが既定のアクセス条件パラメータを満足することを判定すると、制御ポリシーパラメータをユーザ装置に送信するステップとを含む。【選択図】図１
2019110589.tif 000002
【特許請求の範囲】
【請求項１】
無線ネットワークアクセス制御方法であって、
制御装置によって、ユーザ装置が送信した無線ネットワークアクセス要求メッセージを受信するステップであって、前記無線ネットワークアクセス要求メッセージは、少なくとも1つの無線ネットワークの識別子を含む、ステップと、
前記制御装置によって、前記無線ネットワークの前記識別子に対応する既定のアクセス条件パラメータを取得するステップと、
前記既定のアクセス条件パラメータに従って、前記無線ネットワークの現アクセス条件パラメータが前記既定のアクセス条件パラメータを満足することを判定すると、前記制御装置によって、前記無線ネットワークの前記識別子とアクセスパスワードとを前記ユーザ装置に送信するステップであって、その結果、前記ユーザ装置は、前記無線ネットワークの前記識別子と前記アクセスパスワードとに従って、前記無線ネットワークにアクセスし、前記現アクセス条件パラメータは、前記制御装置が取得した前記無線ネットワークの現アクセス条件パラメータである、ステップと、
を含む、無線ネットワークアクセス制御方法。
【請求項２】
前記制御装置によって、前記無線ネットワークの前記識別子に対応する既定のアクセス条件パラメータを取得する前記ステップの前に、前記方法は、
前記制御装置によって、設定装置が送信した前記無線ネットワークの前記既定のアクセス条件パラメータを受信するステップと、
前記制御装置によって、前記無線ネットワークの前記既定のアクセス条件パラメータを前記無線ネットワークの前記識別子に対応する制御ポリシーパラメータリストに保存するステップと、
をさらに含む、請求項1に記載の方法。
【請求項３】
前記制御装置によって、前記無線ネットワークの前記識別子に対応する既定のアクセス条件パラメータを取得する前記ステップは、
前記制御装置によって、前記無線ネットワークアクセス要求メッセージ内の前記無線ネットワークの前記識別子に従って、前記無線ネットワークの前記識別子に対応する前記制御ポリシーパラメータリストを問い合わせて、前記無線ネットワークの前記識別子に対応する前記既定のアクセス条件パラメータを取得する、ステップ
を含む、請求項2に記載の方法。
【請求項４】
前記既定のアクセス条件パラメータに従って、前記無線ネットワークの現アクセス条件パラメータが前記既定のアクセス条件パラメータを満足することを判定する時に、前記制御装置によって、前記無線ネットワークの前記識別子とアクセスパスワードとを前記ユーザ装置に送信する、前記ステップであって、その結果、前記ユーザ装置は、前記無線ネットワークの前記識別子と前記アクセスパスワードとに従って、前記無線ネットワークにアクセスする、前記ステップの後、前記方法は、
前記制御装置によって、前記ユーザ装置が送信した、前記無線ネットワークへのアクセスの状態パラメータ継続時間を受信するステップと、
前記状態パラメータが前記無線ネットワークの前記既定のアクセス条件パラメータを満足しないことを判定する時に、前記制御装置によって、切断要求メッセージを前記無線ネットワークのアクセス装置に送信するステップであって、前記切断要求メッセージは、前記ユーザ装置の識別子を含み、その結果、前記アクセス装置は、前記切断要求メッセージ内の前記ユーザ装置の前記識別子に従って、前記ユーザ装置を前記無線ネットワークから切断する、ステップと、
をさらに含む、請求項1〜3のいずれか一項に記載の方法。
【請求項５】
前記既定のアクセス条件パラメータは、以下のパラメータ、すなわち、前記無線ネットワークへのアクセスを許可されたユーザ装置の識別子、前記無線ネットワークへのアクセスを許可されたユーザ装置の最大数、前記無線ネットワークへのアクセスを許可された最長継続時間、または前記無線ネットワークへのアクセスを許可されたトラフィックもしくは帯域幅のうちの少なくとも1つを含む、請求項1〜4のいずれか一項に記載の方法。
【請求項６】
無線ネットワークアクセス制御装置であって、
ユーザ装置が送信した無線ネットワークアクセス要求メッセージを受信するように構成される受信ユニットであって、前記無線ネットワークアクセス要求メッセージは、少なくとも1つの無線ネットワークの識別子を含む、受信ユニットと、
前記無線ネットワークの前記識別子に対応する既定のアクセス条件パラメータを取得するように構成される処理ユニットであって、
前記処理ユニットが、前記既定のアクセス条件パラメータに従って、前記無線ネットワークの現アクセス条件パラメータが前記既定のアクセス条件パラメータを満足することを判定すると、前記無線ネットワークの前記識別子とアクセスパスワードとを前記ユーザ装置に送信するように送信ユニットに命令するようにさらに構成される、前記処理ユニットと、
前記無線ネットワークの前記識別子と前記アクセスパスワードとを前記ユーザ装置に送信するように構成される前記送信ユニットであって、その結果、前記ユーザ装置は、前記無線ネットワークの前記識別子と前記アクセスパスワードとに従って、前記無線ネットワークにアクセスし、前記現アクセス条件パラメータは、前記制御装置が取得した前記無線ネットワークの現アクセス条件パラメータである、前記送信ユニットと、
を備える、無線ネットワークアクセス制御装置。
【請求項７】
前記受信ユニットは、
設定装置が送信した前記無線ネットワークの前記既定のアクセス条件パラメータを受信する
ようにさらに構成され、
前記装置は、
前記無線ネットワークの前記既定のアクセス条件パラメータを前記無線ネットワークの前記識別子に対応する制御ポリシーパラメータリストに保存するように構成される、保存ユニット
をさらに備える、請求項6に記載の装置。
【請求項８】
前記処理ユニットは、前記無線ネットワークアクセス要求メッセージ内の前記無線ネットワークの前記識別子に従って、前記無線ネットワークの前記識別子に対応する前記制御ポリシーパラメータリストを問い合わせて、前記無線ネットワークの前記識別子に対応する前記既定のアクセス条件パラメータを取得するように特に構成される、請求項7に記載の装置。
【請求項９】
前記受信ユニットは、
前記ユーザ装置が送信した、前記無線ネットワークへのアクセスの状態パラメータ継続時間を受信する
ようにさらに構成され、
前記処理ユニットは、前記状態パラメータが前記無線ネットワークの前記既定のアクセス条件パラメータを満足しないことを判定する時に、切断要求を前記無線ネットワークのアクセス装置に送信するように前記送信ユニットに命令するようにさらに構成され、
前記送信ユニットは、前記切断要求メッセージを前記無線ネットワークのアクセス装置送信するようにさらに構成され、前記切断要求メッセージは、前記ユーザ装置の識別子を含み、その結果、前記アクセス装置は、前記切断要求メッセージ内の前記ユーザ装置の前記識別子に従って、前記ユーザ装置を前記無線ネットワークから切断する、請求項6〜8のいずれか一項に記載の装置。
【請求項１０】
無線ネットワークアクセス制御システムであって、制御装置とユーザ装置とを含み、
前記制御装置は、請求項6〜9のいずれか一項に記載の無線ネットワークアクセス制御装置を含み、
前記ユーザ装置は、無線ネットワークアクセス要求メッセージを前記制御装置に送信するように構成され、前記無線ネットワークアクセス要求メッセージは、少なくとも1つの無線ネットワークの識別子を含み、その結果、前記制御装置は、前記無線ネットワークの前記識別子に対応する既定のアクセス条件パラメータを取得し、前記無線ネットワークの現アクセス条件パラメータが前記既定のアクセス条件パラメータを満足することを判定すると、前記無線ネットワークの前記識別子とアクセスパスワードとを前記ユーザ装置に送信し、前記現アクセス条件パラメータは、前記制御装置が取得した前記無線ネットワークの現アクセス条件パラメータであり、
前記ユーザ装置は、前記無線ネットワークの前記識別子と前記アクセスパスワードとに従って、前記無線ネットワークにアクセスするようにさらに構成される、無線ネットワークアクセス制御システム。
【請求項１１】
前記無線ネットワークの前記既定のアクセス条件パラメータを設定するように構成される設定装置をさらに備え、
前記設定装置は、前記無線ネットワークの前記既定のアクセス条件パラメータを前記無線ネットワークのアクセス装置に送信するようにさらに構成され、その結果、前記アクセス装置は、前記既定のアクセス条件パラメータを保存し、
前記設定装置は、前記無線ネットワークの前記既定のアクセス条件パラメータを前記制御装置に送信するようにさらに構成され、その結果、前記制御装置は、前記無線ネットワークの前記既定のアクセス条件パラメータを前記無線ネットワークの前記識別子に対応する制御ポリシーパラメータリストに保存する、
請求項10に記載のシステム。
【請求項１２】
前記ユーザ装置は、前記ユーザ装置による前記無線ネットワークへの接続の状態パラメータを前記制御装置に送信するようにさらに構成され、その結果、前記制御装置は、前記状態パラメータが前記無線ネットワークの前記既定のアクセス条件パラメータを満足しないことを判定すると、切断要求メッセージを前記無線ネットワークの前記アクセス装置に送信し、前記切断要求メッセージは、前記ユーザ装置の識別子を含み、
前記アクセス装置は、前記切断要求メッセージ内の前記ユーザ装置の前記識別子に従って、前記ユーザ装置を前記無線ネットワークから切断するようにさらに構成される、請求項10または11に記載のシステム。
【請求項１３】
前記既定のアクセス条件パラメータは、以下のパラメータ、すなわち、前記無線ネットワークへのアクセスを許可されたユーザ装置の識別子、前記無線ネットワークへのアクセスを許可されたユーザ装置の最大数、前記無線ネットワークへのアクセスを許可された最長継続時間、または前記無線ネットワークへのアクセスを許可されたトラフィックもしくは帯域幅のうちの少なくとも1つを含む、請求項10〜12のいずれか一項に記載のシステム。
【請求項１４】
無線ネットワークアクセス制御装置であって、受信機と、送信機と、プロセッサとを含み、前記受信機と前記送信機と前記プロセッサとがバスを用いて互いに接続され、
前記受信機は、ユーザ装置が送信した無線ネットワークアクセス要求メッセージを受信するように構成され、前記無線ネットワークアクセス要求メッセージは、少なくとも1つの無線ネットワークの識別子を含み、
プロセッサは、前記無線ネットワークの前記識別子に対応する既定のアクセス条件パラメータを取得することと、前記既定のアクセス条件パラメータに従って、前記無線ネットワークの現アクセス条件パラメータが前記既定のアクセス条件パラメータを満足することを判定すると、前記無線ネットワークの前記識別子とアクセスパスワードとを前記ユーザ装置に送信するように前記送信機に命令することとを行うように構成され、
前記送信機は、前記無線ネットワークの前記識別子と前記アクセスパスワードとを前記ユーザ装置に送信するように構成され、その結果、前記ユーザ装置は、前記無線ネットワークの前記識別子と前記アクセスパスワードとに従って、前記無線ネットワークにアクセスし、前記現アクセス条件パラメータは、前記制御装置が取得した前記無線ネットワークの現アクセス条件パラメータである、無線ネットワークアクセス制御装置。
【請求項１５】
前記受信機は、設定装置が送信した前記無線ネットワークの前記既定のアクセス条件パラメータを受信するようにさらに構成され、
前記プロセッサは、前記無線ネットワークの前記既定のアクセス条件パラメータを前記無線ネットワークの前記識別子に対応する制御ポリシーパラメータリストに保存するようにさらに構成される、請求項14に記載の制御装置。
【請求項１６】
前記プロセッサは、前記無線ネットワークアクセス要求メッセージ内の前記無線ネットワークの前記識別子に従って、前記無線ネットワークの前記識別子に対応する前記制御ポリシーパラメータリストを問い合わせて、前記無線ネットワークの前記識別子に対応する前記既定のアクセス条件パラメータを取得するように特に構成される、請求項15に記載の制御装置。
【請求項１７】
前記受信機は、前記ユーザ装置が送信した、前記無線ネットワークへのアクセスの状態パラメータ継続時間を受信するようにさらに構成され、
前記プロセッサは、前記状態パラメータが前記無線ネットワークの前記既定のアクセス条件パラメータを満足しないことを判定する時に、切断要求を前記無線ネットワークのアクセス装置に送信するように前記送信機に命令するようにさらに構成され、
前記送信機は、前記切断要求メッセージを前記無線ネットワークのアクセス装置送信するようにさらに構成され、前記切断要求メッセージは、前記ユーザ装置の識別子を含み、その結果、前記アクセス装置は、前記切断要求メッセージ内の前記ユーザ装置の前記識別子に従って、前記ユーザ装置を前記無線ネットワークから切断する、請求項14〜16のいずれか一項に記載の制御装置。
【発明の詳細な説明】
【技術分野】
【０００１】
本発明の実施形態は、通信技術の分野に関し、詳細には、無線ネットワークアクセス制御方法、装置、およびシステムに関する。
【背景技術】
【０００２】
モバイルインターネットの発展に伴って、無線ルータおよびホームゲートウェイなどの無線アクセス装置が、企業および家庭にますます普及してきた。したがって、ますます広いモバイルインターネットのカバレッジが提供され、その結果、ユーザは、無線ネットワーク装置を使用して、モバイルインターネットに簡便にアクセスできる。
【０００３】
モバイルインターネットでは、無線アクセスおよび無線転送が使用される。したがって、ユーザ装置が近くの無線ネットワークを探した時に、無線ネットワークにアクセスパスワードが設定されていなければ、ユーザ装置は、無線ネットワークにアクセスできる。無線ネットワークのアクセスパスワードが分かっていれば、ユーザ装置は、アクセスパスワードを使用して、無線ネットワークにアクセスできる。無線ネットワークのアクセスパスワードが分かっていなければ、ユーザ装置は、無線ネットワークにアクセスするために、パスワード解析ソフトウェアを用いて無線ネットワークのアクセスパスワードを解析できる。したがって、具体的なケースでは、大量のユーザ装置が無線ネットワークにアクセスすることがあり、これにより、無線ネットワークへのアクセスが難しくなったり、無線ネットワークのネットワークサービス品質に影響したりすることがある。
【０００４】
無線ネットワークのネットワークサービス品質を改善するために、無線ネットワークの所有者はまた、他のユーザ装置が無線ネットワークにアクセスできないように、アクセスパスワードにセキュリティ保護をかけることがある。この場合、無線ネットワークの所有者が無線ネットワークを使用しない時、他のユーザ装置は無線ネットワークにアクセスできないため、無線ネットワークリソースの浪費が生じる。
【発明の概要】
【０００５】
無線ネットワークを柔軟に制御できる方法であって、方法が無線ネットワークリソースの無駄を防ぐだけでなく無線ネットワークアクセス品質に影響しない方法は、既存の無線ネットワークアクセス制御技術にはないことが分かる。
【課題を解決するための手段】
【０００６】
本発明は、無線ネットワークアクセス制御方法、装置、およびシステムを提供し、その結果、無線ネットワークアクセスを柔軟に制御できる。これは、無線ネットワークリソースの浪費を防止するだけでなく、無線ネットワークアクセス品質に影響しない。
【０００７】
第1の態様によれば、本発明の一実施形態は、無線ネットワークアクセス制御方法を提供し、
制御装置によって、ユーザ装置が送信した無線ネットワークアクセス要求メッセージを受信するステップであって、無線ネットワークアクセス要求メッセージは、少なくとも1つの無線ネットワークの識別子を含む、ステップと、
制御装置によって、無線ネットワークの識別子に対応する既定のアクセス条件パラメータを取得するステップと、
既定のアクセス条件パラメータに従って、無線ネットワークの現アクセス条件パラメータが既定のアクセス条件パラメータを満足することを判定すると、制御装置によって、無線ネットワークの識別子とアクセスパスワードとをユーザ装置に送信するステップであって、その結果、ユーザ装置は、無線ネットワークの識別子とアクセスパスワードとに従って、無線ネットワークにアクセスし、現アクセス条件パラメータは、制御装置が取得した無線ネットワークの現アクセス条件パラメータである、ステップと、
を含む。
【０００８】
第1の態様の第1の可能な実施方式では、制御装置によって、無線ネットワークの識別子に対応する既定のアクセス条件パラメータを取得するステップの前に、本方法は、
制御装置によって、設定装置が送信した無線ネットワークの既定のアクセス条件パラメータを受信するステップと、
制御装置によって、無線ネットワークの既定のアクセス条件パラメータを無線ネットワークの識別子に対応する制御ポリシーパラメータリストに保存するステップと、
をさらに含む。
【０００９】
第1の態様の第2の可能な実施方式では、第1の態様の第1の可能な実施方式に関連して、制御装置によって、無線ネットワークの識別子に対応する既定のアクセス条件パラメータを取得するステップは、
制御装置によって、無線ネットワークアクセス要求メッセージ内の無線ネットワークの識別子に従って、無線ネットワークの識別子に対応する制御ポリシーパラメータリストを問い合わせて、無線ネットワークの識別子に対応する既定のアクセス条件パラメータを取得する、ステップ
を含む。
【００１０】
第1の態様の第3の可能な実施方式では、第1の態様、第1の態様の第1可能な実施方式、または第1の態様の第2の可能な実施方式に関連して、既定のアクセス条件パラメータに従って、無線ネットワークの現アクセス条件パラメータが既定のアクセス条件パラメータを満足することを判定する時に、制御装置によって、無線ネットワークの識別子とアクセスパスワードとをユーザ装置に送信するステップであって、その結果、ユーザ装置は、無線ネットワークの識別子とアクセスパスワードとに従って、無線ネットワークにアクセスする、ステップの後、本方法は、
制御装置によって、ユーザ装置が送信した、無線ネットワークへのアクセスの状態パラメータ継続時間を受信するステップと、
状態パラメータが無線ネットワークの既定のアクセス条件パラメータを満足しないことを判定する時に、制御装置によって、切断要求メッセージを無線ネットワークのアクセス装置に送信するステップであって、切断要求メッセージは、ユーザ装置の識別子を含み、その結果、アクセス装置は、切断要求メッセージ内のユーザ装置の識別子に従って、ユーザ装置を無線ネットワークから切断する、ステップと、
をさらに含む。
【００１１】
第1の態様の第4の可能な実施方式では、第1の態様、第1の態様の第1可能な実施方式、第1の態様の第2の可能な実施方式、または第1の態様の第3の可能な実施方式に関連して、既定のアクセス条件パラメータは、以下のパラメータ、すなわち、無線ネットワークへのアクセスを許可されたユーザ装置の識別子、無線ネットワークへのアクセスを許可されたユーザ装置の最大数、無線ネットワークへのアクセスを許可された最長継続時間、または無線ネットワークへのアクセスを許可されたトラフィックもしくは帯域幅のうちの少なくとも1つを含む。
【００１２】
第2の態様によれば、本発明の一実施形態は、無線ネットワークアクセス制御装置を提供し、
ユーザ装置が送信した無線ネットワークアクセス要求メッセージを受信するように構成される受信ユニットであって、無線ネットワークアクセス要求メッセージは、少なくとも1つの無線ネットワークの識別子を含む、受信ユニットと、
無線ネットワークの識別子に対応する既定のアクセス条件パラメータを取得するように構成される処理ユニットであって、
処理ユニットが、既定のアクセス条件パラメータに従って、無線ネットワークの現アクセス条件パラメータが既定のアクセス条件パラメータを満足することを判定すると、無線ネットワークの識別子とアクセスパスワードとをユーザ装置に送信するように送信ユニットに命令するようにさらに構成される、処理ユニットと、
無線ネットワークの識別子とアクセスパスワードとをユーザ装置に送信するように構成される送信ユニットであって、その結果、ユーザ装置は、無線ネットワークの識別子とアクセスパスワードとに従って、無線ネットワークにアクセスし、現アクセス条件パラメータは、制御装置が取得した無線ネットワークの現アクセス条件パラメータである、送信ユニットと、
を備える。
【００１３】
第2の態様の第1の可能な実施方式では、受信ユニットは、
設定装置が送信した無線ネットワークの既定のアクセス条件パラメータを受信する
ようにさらに構成され、
本装置は、
無線ネットワークの既定のアクセス条件パラメータを無線ネットワークの識別子に対応する制御ポリシーパラメータリストに保存するように構成される、保存ユニット
をさらに備える。
【００１４】
第2の態様の第2の可能な実施方式では、第2の態様の第1の可能な実施方式に関連して、処理ユニットは、無線ネットワークアクセス要求メッセージ内の無線ネットワークの識別子に従って、無線ネットワークの識別子に対応する制御ポリシーパラメータリストを問い合わせて、無線ネットワークの識別子に対応する既定のアクセス条件パラメータを取得するように構成される。
【００１５】
第2の態様の第3の可能な実施方式では、第2の態様、第2の態様の第1可能な実施方式、または第2の態様の第2の可能な実施方式に関連して、受信ユニットは、
ユーザ装置が送信した、無線ネットワークへのアクセスの状態パラメータ継続時間を受信する
ようにさらに構成され、
処理ユニットは、状態パラメータが無線ネットワークの既定のアクセス条件パラメータを満足しないことを判定する時に、切断要求を無線ネットワークのアクセス装置に送信するように送信ユニットに命令するようにさらに構成され、
送信ユニットは、切断要求メッセージを無線ネットワークのアクセス装置送信するようにさらに構成され、切断要求メッセージは、ユーザ装置の識別子を含み、その結果、アクセス装置は、切断要求メッセージ内のユーザ装置の識別子に従って、ユーザ装置を無線ネットワークから切断する。
【００１６】
第3の態様によれば、本発明の一実施形態は、無線ネットワークアクセス制御システムを提供し、本システムは、制御装置とユーザ装置とを含み、
制御装置は、第2の態様および第2の態様の可能な実施方式のうちのいずれか1つにおいて説明される無線ネットワークアクセス制御装置を含み、
ユーザ装置は、無線ネットワークアクセス要求メッセージを制御装置に送信するように構成され、無線ネットワークアクセス要求メッセージは、少なくとも1つの無線ネットワークの識別子を含み、その結果、制御装置は、無線ネットワークの識別子に対応する既定のアクセス条件パラメータを取得し、無線ネットワークの現アクセス条件パラメータが既定のアクセス条件パラメータを満足することを判定すると、無線ネットワークの識別子とアクセスパスワードとをユーザ装置に送信し、現アクセス条件パラメータは、制御装置が取得した無線ネットワークの現アクセス条件パラメータであり、
ユーザ装置は、無線ネットワークの識別子とアクセスパスワードとに従って、無線ネットワークにアクセスするようにさらに構成される。
【００１７】
第3の態様の第1の可能な実施方式では、本システムは、
無線ネットワークの既定のアクセス条件パラメータを設定するように構成される設定装置をさらに含み、
設定装置は、無線ネットワークの既定のアクセス条件パラメータを無線ネットワークのアクセス装置に送信するようにさらに構成され、その結果、アクセス装置は、既定のアクセス条件パラメータを保存し、
設定装置は、無線ネットワークの既定のアクセス条件パラメータを制御装置に送信するようにさらに構成され、その結果、制御装置は、無線ネットワークの既定のアクセス条件パラメータを無線ネットワークの識別子に対応する制御ポリシーパラメータリストに保存する。
【００１８】
第3の態様の第2の可能な実施方式では、第3の態様または第3の態様の第1の可能な実施方式に関連して、ユーザ装置は、ユーザ装置による無線ネットワークへの接続の状態パラメータを制御装置に送信するようにさらに構成され、その結果、制御装置は、状態パラメータが無線ネットワークの既定のアクセス条件パラメータを満足しないことを判定すると、切断要求メッセージを無線ネットワークのアクセス装置に送信し、切断要求メッセージは、ユーザ装置の識別子を含み、
アクセス装置は、切断要求メッセージ内のユーザ装置の識別子に従って、ユーザ装置を無線ネットワークから切断するようにさらに構成される。
【００１９】
第3の態様の第3の可能な実施方式では、第3の態様、第3の態様の第1可能な実施方式、または第3の態様の第2の可能な実施方式に関連して、既定のアクセス条件パラメータは、以下のパラメータ、すなわち、無線ネットワークへのアクセスを許可されたユーザ装置の識別子、無線ネットワークへのアクセスを許可されたユーザ装置の最大数、無線ネットワークへのアクセスを許可された最長継続時間、または無線ネットワークへのアクセスを許可されたトラフィックもしくは帯域幅のうちの少なくとも1つを含む。
【００２０】
第4の態様によれば、本発明の一実施形態は、無線ネットワークアクセス制御装置を提供し、受信機と、送信機と、プロセッサとを含み、受信機と送信機とプロセッサとがバスを用いて互いに接続され、
受信機は、ユーザ装置が送信した無線ネットワークアクセス要求メッセージを受信するように構成され、無線ネットワークアクセス要求メッセージは、少なくとも1つの無線ネットワークの識別子を含み、
プロセッサは、無線ネットワークの識別子に対応する既定のアクセス条件パラメータを取得することと、既定のアクセス条件パラメータに従って、無線ネットワークの現アクセス条件パラメータが既定のアクセス条件パラメータを満足することを判定すると、無線ネットワークの識別子とアクセスパスワードとをユーザ装置に送信するように送信機に命令することとを行うように構成され、
送信機は、無線ネットワークの識別子とアクセスパスワードとをユーザ装置に送信するように構成され、その結果、ユーザ装置は、無線ネットワークの識別子とアクセスパスワードとに従って、無線ネットワークにアクセスし、現アクセス条件パラメータは、制御装置が取得した無線ネットワークの現アクセス条件パラメータである。
【００２１】
第4の態様の第1の可能な実施方式では、受信機は、設定装置が送信した無線ネットワークの既定のアクセス条件パラメータを受信するようにさらに構成され、
プロセッサは、無線ネットワークの既定のアクセス条件パラメータを無線ネットワークの識別子に対応する制御ポリシーパラメータリストに保存するようにさらに構成される。
【００２２】
第4の態様の第2の可能な実施方式では、第4の態様の第1の可能な実施方式に関連して、プロセッサは、無線ネットワークアクセス要求メッセージ内の無線ネットワークの識別子に従って、無線ネットワークの識別子に対応する制御ポリシーパラメータリストを問い合わせて、無線ネットワークの識別子に対応する既定のアクセス条件パラメータを取得するように構成される。
【００２３】
第4の態様の第3の可能な実施方式では、第4の態様、第4の態様の第1可能な実施方式、または第4の態様の第2の可能な実施方式に関連して、受信機は、ユーザ装置が送信した、無線ネットワークへのアクセスの状態パラメータ継続時間を受信するようにさらに構成され、
プロセッサは、状態パラメータが無線ネットワークの既定のアクセス条件パラメータを満足しないことを判定する時に、切断要求を無線ネットワークのアクセス装置に送信するように送信ユニットに命令するようにさらに構成され、
送信機は、切断要求メッセージを無線ネットワークのアクセス装置送信するようにさらに構成され、切断要求メッセージは、ユーザ装置の識別子を含み、その結果、アクセス装置は、切断要求メッセージ内のユーザ装置の識別子に従って、ユーザ装置を無線ネットワークから切断する。
【００２４】
本発明の各実施形態において提供される無線ネットワークアクセス制御方法、装置、およびシステムによれば、制御装置は、ユーザ装置が送信し、かつ少なくとも1つの無線ネットワークの識別子を運ぶ無線ネットワークアクセス要求メッセージを受信し、無線ネットワークの識別子に従って、無線ネットワークの識別子に対応する制御ポリシーパラメータを判定する。制御ポリシーパラメータは、既定のアクセス条件パラメータを含むことから、制御装置は、ユーザ装置によってアクセスされる無線ネットワークの現アクセス条件パラメータが既定のアクセス条件パラメータを満足することを判定すると、無線ネットワークの制御ポリシーパラメータをユーザ装置に送信し、その結果、ユーザ装置は、制御ポリシーパラメータに従って、無線ネットワークにアクセスし、無線ネットワークアクセスを柔軟に制御できる。これは、無線ネットワークリソースの浪費を防止するだけでなく、無線ネットワークアクセス品質に影響しない。
【００２５】
本発明の実施形態における、または従来技術における技術的解決策をより明確に説明するために、以下、各実施形態または従来技術を説明するのに必要とされる添付の図面について簡単に記述する。当然のことながら、以下の説明における添付の図面は、本発明の一部の実施形態を示すものであり、当業者は、創造的努力がなくても、これらの添付の図面から他の図面をさらに導出することができる。
【図面の簡単な説明】
【００２６】
【図１】本発明の一実施形態による無線ネットワークアクセス制御方法の概略的な流れ図である。
【図２】本発明の別の実施形態による無線ネットワークアクセス制御方法のシグナリング図である。
【図３】本発明の一実施形態による無線ネットワークアクセス制御装置の概略的な構造図である。
【図４】本発明の別の実施形態による無線ネットワークアクセス制御装置の概略的な構造図である。
【図５】本発明の一実施形態による無線ネットワークアクセス制御システムの概略的な構造図である。
【発明を実施するための形態】
【００２７】
本発明の実施形態の目的、技術的解決策、および利点をより明確にするために、以下、本発明の実施形態における添付の図面を参照しながら、本発明の実施形態における技術的解決策を明確かつ十分に説明する。当然のことながら、説明される実施形態は、本発明の実施形態の一部に過ぎず、すべてではない。本発明の実施形態に基づいて、当業者によって創造的努力なしに得られるすべての他の実施形態は、本発明の保護範囲内に含まれるものとする。
【００２８】
本発明の技術的解決策は、汎欧州デジタル移動電話方式（Global System for Mobile Communications、略称GSM（登録商標））、汎用パケット無線サービス（General Packet Radio Service、略称GPRS）システム、符号分割多元接続（Code Division Multiple Access、略称CDMA）システム、CDMA2000システム、広帯域符号分割多元接続（Wideband Code Division Multiple Access、略称WCDMA（登録商標））システム、ロングタームエボリューション（Long Term Evolution、略称LTE）システム、またはワールドワイド・インターオペラビリティ・フォー・マイクロウェーブ・アクセス（World Interoperability for Microwave Access、略称WiMAX）システムなどの様々な無線通信システムに適用できる。
【００２９】
図1は、本発明の一実施形態による無線ネットワークアクセス制御方法の概略的な流れ図である。図1に示すように、本実施形態における無線ネットワークアクセス制御方法は、以下のステップを含み得る。
【００３０】
101．制御装置は、ユーザ装置が送信した無線ネットワークアクセス要求メッセージを受信し、無線ネットワークアクセス要求メッセージは、少なくとも1つの無線ネットワークの識別子を含む。
【００３１】
ユーザ装置が無線ネットワークへのアクセスを必要とする場合、ユーザ装置は、近くの無線ネットワークを探し、見つけた無線ネットワークの識別子を制御装置に送信できる。無線ネットワークの識別子は、無線ネットワークアクセス要求メッセージで運ばれ、制御装置に送信されてよい。具体的には、制御装置は、例えば、モバイルネットワークまたはSMSメッセージチャネルを用いて、ユーザ装置が送信した無線ネットワークアクセス要求メッセージを受信してよい。無線ネットワークの識別子は、例えば、無線ネットワークのサービスセット識別子（Service Set Identifier、略称SSID）である。
【００３２】
102．制御装置は、無線ネットワークの識別子に対応する既定のアクセス条件パラメータを取得する。
【００３３】
本発明の別の実施方式では、ステップ102の前に、本方法は、
制御装置によって、設定装置が送信した無線ネットワークの既定のアクセス条件パラメータを受信するステップと、
制御装置によって、無線ネットワークの既定のアクセス条件パラメータを無線ネットワークの識別子に対応する制御ポリシーパラメータリストに保存するステップと、
を含み得る。
【００３４】
具体的には、無線ネットワークの所有者が、設定装置を用いて、無線ネットワークの既定のアクセス条件パラメータを設定してよい。
【００３５】
ユーザ装置は、無線ネットワークを用いて、ネットワークアプリケーションサービスを実施するために、無線ネットワークにアクセスする必要があり、かつ無線ネットワークのアクセス装置を用いて、無線ネットワークにアクセスする必要があり、アクセス装置は、例えば、ゲートウェイ装置またはルータなどの装置であることに留意されたい。したがって、無線ネットワークの上記所有者は、代表であり、無線ネットワークのアクセス装置の所有者、例えば、上記ゲートウェイ装置の所有者または上記ルータの所有者を表している。
【００３６】
本実施形態では、無線ネットワークの所有者が、設定装置を用いて、無線ネットワークに対応するアクセス装置上で無線ネットワークにアクセスするために要求される既定のアクセス条件パラメータを設定する。無線ネットワークの既定のアクセス条件パラメータを無線ネットワークに対応するアクセス装置に対して設定し、その結果、既定のアクセス条件パラメータがアクセス装置上で有効になり、ユーザ装置がアクセス装置に対応する無線ネットワークにアクセスすることが続けて必要となった場合、既定のアクセス条件パラメータを用いて、ユーザ装置が無線ネットワークにアクセスできるかどうかについて、アクセス制御処理が行われる。
【００３７】
本発明の本実施形態では、設定装置とアクセス装置とは、別個に配置されてもよいし、一体化されてもよく、設定装置は、対応するアクセス装置に対する制御ポリシーパラメータの設定を実施するように主に構成される。
【００３８】
本発明の本実施形態では、既定のアクセス条件パラメータは、以下のパラメータ、すなわち、無線ネットワークへのアクセスを許可されたユーザ装置の識別子、無線ネットワークへのアクセスを許可されたユーザ装置の最大数、無線ネットワークへのアクセスを許可された最長継続時間、または無線ネットワークへのアクセスを許可されたトラフィックもしくは帯域幅のうちの少なくとも1つまたは任意の組み合わせを含んでよい。既定のアクセス条件パラメータは、上に挙げたパラメータを含むが、これに限定されるものではない。
【００３９】
無線ネットワークの所有者が、設定装置を用いて、無線ネットワークに対応するアクセス装置上で無線ネットワークにアクセスするために要求される既定のアクセス条件パラメータを設定することは、以下の方式、すなわち、設定装置によって、無線ネットワークの既定のアクセス条件パラメータを無線ネットワークのアクセス装置に送信し、その結果、アクセス装置が既定のアクセス条件パラメータを保存して、既定のアクセス条件パラメータを有効にするステップで実装されてよい。
【００４０】
加えて、設定装置は、上記既定のアクセス条件パラメータをアクセス装置に送信するだけでなく、無線ネットワークの既定のアクセス条件パラメータを制御装置に送信し、その結果、制御装置は、無線ネットワークの既定のアクセス条件パラメータを無線ネットワークの識別子に対応する制御ポリシーパラメータリストに保存する。
【００４１】
無線ネットワークの既定のアクセス条件パラメータを再度修正する場合、設定装置は、修正した無線ネットワークの既定のアクセス条件パラメータをアクセス装置と制御装置とに送信する必要があり、その結果、アクセス装置と制御装置とは、無線ネットワークの既定のアクセス条件パラメータを更新することに留意されたい。
【００４２】
本発明の別の実施形態では、ステップ102は、
制御装置によって、無線ネットワークアクセス要求メッセージに含まれる無線ネットワークの識別子に従って、無線ネットワークの識別子に対応する制御ポリシーパラメータリストを問い合わせて、無線ネットワークの識別子に対応する既定のアクセス条件パラメータを取得する、ステップを特に含む。
【００４３】
異なる無線ネットワークの既定のアクセス条件パラメータを保存するために、制御装置は、異なる無線ネットワークの識別子に従って、対応するリストを確立し、異なる無線ネットワークの識別子に対応する既定のアクセス条件パラメータを対応するリストに保存する。したがって、ユーザ装置が送信した無線ネットワークアクセス要求メッセージを受信するステップの後、制御装置は、要求メッセージ内の無線ネットワークの識別子に従って、無線ネットワークの識別子に対応するリストを問い合わせて、無線ネットワークの識別子に対応する既定のアクセス条件パラメータを取得する。
【００４４】
103．制御装置は、既定のアクセス条件パラメータに従って、無線ネットワークの現アクセス条件パラメータが既定のアクセス条件パラメータを満足することを判定すると、制御装置によって、無線ネットワークの識別子とアクセスパスワードとをユーザ装置に送信し、その結果、ユーザ装置は、無線ネットワークの識別子とアクセスパスワードとに従って、無線ネットワークにアクセスし、現アクセス条件パラメータは、制御装置が取得した無線ネットワークの現アクセス条件パラメータである。
【００４５】
具体的には、上記無線ネットワークの既定のアクセス条件パラメータを無線ネットワークの識別子に対応する制御ポリシーパラメータリストに保存するのと同時に、制御装置はまた、無線ネットワークの識別子と、無線ネットワークにアクセスするために要求されるアクセスパスワードと、無線ネットワークの既定のアクセス条件パラメータとの間の対応関係を保存する。したがって、無線ネットワークの現アクセス条件パラメータが無線ネットワークの既定のアクセス条件パラメータを満足することを判定すると、制御装置は、上記対応関係に従って、無線ネットワークのアクセスパスワードと識別子とを取得し、無線ネットワークの識別子とアクセスパスワードとを、アクセス要求メッセージを送信するユーザ装置に送信する。このようにして、ユーザ装置は、無線ネットワークの受信した識別子に従って、アクセスする無線ネットワークを判定し、無線ネットワーク受信したアクセスパスワードを用いて、無線ネットワークにアクセスできる。
【００４６】
ステップ103において、制御装置は、無線ネットワークの現アクセス条件パラメータが既定のアクセス条件パラメータを満足するかどうかを判定する。例えば、無線ネットワークNの既定のアクセス条件パラメータは、無線ネットワークNへのアクセスを許可されたユーザ装置の識別子である。ユーザ装置が送信したアクセス要求メッセージで運ばれる無線ネットワークNの識別子に従って、無線ネットワークNの既定のアクセス条件パラメータを制御装置が取得し、既定のアクセス条件パラメータは、無線ネットワークNへのアクセスを許可されたユーザ装置の識別子であり、例えば、その識別子がA、B、およびCであるユーザ装置が、無線ネットワークNへのアクセスを許可されている場合、この場合、制御装置は、無線ネットワークNの現アクセス条件パラメータをまず取得する。この例では、無線ネットワークNの現アクセス条件パラメータは、例えば、無線ネットワークNに現在接続しているユーザ装置の識別子である。例えば、無線ネットワークNに現在接続しているユーザ装置は、ユーザ装置Bとユーザ装置Cである。その結果、制御装置は、要求を送信しているユーザ装置Aが無線ネットワークNに現在接続しているユーザ装置に含まれておらず、かつユーザ装置Aが無線ネットワークNへのアクセスを許可されたユーザ装置の識別子に含まれることを判定し、その結果、制御装置は、無線ネットワークNの現アクセス条件パラメータが無線ネットワークNの既定のアクセス条件パラメータを満足することを判定する。反対に、ユーザ装置Aが無線ネットワークNに現在接続しているユーザ装置に含まれる、またはユーザ装置Aが無線ネットワークNへのアクセスを許可されたユーザ装置の識別子に含まれていない場合、制御装置は、無線ネットワークNの現アクセス条件パラメータが無線ネットワークNの既定のアクセス条件パラメータを満足しないことを判定する。
【００４７】
別の例では、無線ネットワークNの既定のアクセス条件パラメータは、無線ネットワークNへのアクセスを許可されたユーザ装置の最大数であり、例えば、アクセスを許可されるユーザ装置の数の上限は、5である。この場合、無線ネットワークNの現アクセス条件パラメータは、無線ネットワークNにアクセスしたユーザ装置の数であり、例えば、3つのユーザ装置が無線ネットワークNにアクセスしている。したがって、無線ネットワークNに現在接続しているユーザ装置の数（すなわち、現アクセス条件パラメータ）が、無線ネットワークNへのアクセスを許可されたユーザ装置の最大数（すなわち、既定のアクセス条件パラメータ）未満である場合、制御装置は、無線ネットワークNの現アクセス条件パラメータが無線ネットワークNの既定のアクセス条件パラメータを満足することを判定する。反対に、無線ネットワークNに現在接続しているユーザ装置の数が、無線ネットワークNへのアクセスを許可されたユーザ装置の最大数以上である場合、無線ネットワークNの現アクセス条件パラメータが無線ネットワークNの既定のアクセス条件パラメータを満足しないと判定される。
【００４８】
さらに別の例では、無線ネットワークNの既定のアクセス条件パラメータは、無線ネットワークNへのアクセスを許可されたトラフィックまたは帯域幅を含む。トラフィックは、一例として使用されており、例えば、100MBのトラフィックが各ユーザ装置に割り当てられる。この場合、無線ネットワークNの現アクセス条件パラメータは、各ユーザ装置が既に使用したトラフィックの量を示す。ユーザ装置が無線ネットワークNにアクセスしたことがない場合、無線ネットワークNの現アクセス条件パラメータでは、ユーザ装置が既に使用したトラフィックの量は、ユーザ装置については0であることに留意されたい。したがって、アクセス要求メッセージを現在送信しているユーザ装置Aが既に使用したトラフィックの量（すなわち、現アクセス条件パラメータ）が、無線ネットワークNがユーザ装置Aに使用を許可または割り当てされたトラフィックの最大量（すなわち、既定のアクセス条件パラメータ）未満である場合、制御装置は、無線ネットワークNの現アクセス条件パラメータが無線ネットワークNの既定のアクセス条件パラメータを満足することを判定する。反対に、ユーザ装置Aが既に使用したトラフィックの量が、無線ネットワークNがユーザ装置Aに使用を許可または割り当てされたトラフィックの最大量以上である場合、無線ネットワークNの現アクセス条件パラメータが無線ネットワークNの既定のアクセス条件パラメータを満足しないと判定される。
【００４９】
さらに別の例では、無線ネットワークNの既定のアクセス条件パラメータは、無線ネットワークNへのアクセスを許可された最長継続時間を含む。例えば、10時間の最長使用継続時間が各ユーザ装置に割り当てられる。この場合、無線ネットワークNの現アクセス条件パラメータは、各ユーザ装置が既に使用した継続時間を示す。ユーザ装置が無線ネットワークNにアクセスしたことがない場合、無線ネットワークNの現アクセス条件パラメータでは、ユーザ装置が既に使用した継続時間は、ユーザ装置については0であることに留意されたい。したがって、アクセス要求メッセージを現在送信しているユーザ装置Aが既に使用した継続時間（すなわち、現アクセス条件パラメータ）が、無線ネットワークNがユーザ装置Aに使用を許可された最長継続時間（すなわち、既定のアクセス条件パラメータ）未満である場合、制御装置は、無線ネットワークNの現アクセス条件パラメータが無線ネットワークNの既定のアクセス条件パラメータを満足することを判定する。反対に、ユーザ装置Aが既に使用した継続時間が、無線ネットワークNがユーザ装置Aに使用を許可された最長継続時間以上である場合、無線ネットワークNの現アクセス条件パラメータが無線ネットワークNの既定のアクセス条件パラメータを満足しないと判定される。
【００５０】
次いで、無線ネットワークの上記現アクセス条件パラメータが無線ネットワークの既定のアクセス条件パラメータを満足することを判定すると、制御装置は、無線ネットワークの識別子に対応する制御ポリシーパラメータリストから、無線ネットワークの識別子とアクセスパスワードとを取得し、識別子とアクセスパスワードとを、アクセス要求メッセージを送信したユーザ装置に送信し、その結果、ユーザ装置は、無線ネットワークの識別子とアクセスパスワードとに従って、無線ネットワークにアクセスする。
【００５１】
本実施形態では、無線ネットワークの現アクセス条件パラメータは、制御装置が取得した無線ネットワークの現アクセス条件パラメータであり、現アクセス条件パラメータは、無線ネットワークに対応するアクセス装置によって制御装置に送信され得る。具体的には、各無線ネットワークに対応するアクセス装置は、リアルタイムまたは定期的な検出によって、アクセス装置に対応する無線ネットワークのアクセス状態、すなわち、無線ネットワークの現アクセス条件パラメータ、例えば、接続されたユーザ装置の数や各接続されたユーザ装置が既に使用した継続時間を確認し、検出された現アクセス条件パラメータを制御装置に送信してよく、その結果、制御装置は、各無線ネットワークの現アクセス状態を確認できる。
【００５２】
本実施形態では、ユーザ装置が制御装置に送信した無線ネットワークアクセス要求メッセージは、少なくとも1つの無線ネットワークの識別子を含む。要求メッセージがただ1つの無線ネットワークの識別子を含む場合、無線ネットワークの現アクセス条件パラメータが無線ネットワークの既定のアクセス条件パラメータを満足することを判定すると、制御装置は、無線ネットワークのアクセスパスワードのみを、要求メッセージを送信したユーザ装置に送信し、その結果、ユーザ装置は、無線ネットワークのアクセスパスワードに従って、無線ネットワークにアクセスしてもよいし、無線ネットワークの識別子とアクセスパスワードとを、要求メッセージを送信したユーザ装置に送信し、その結果、ユーザ装置は、アクセスする無線ネットワークを知り、無線ネットワークのアクセスパスワードに従って、無線ネットワークにアクセスできるとしてもよい。要求メッセージが複数の無線ネットワーク、例えば、２つの無線ネットワークの識別子を含む場合に、複数の無線ネットワークの現アクセス条件パラメータが、複数の無線ネットワークの既定のアクセス条件パラメータをそれぞれ満足する場合、制御装置は、複数の無線ネットワークの識別子とアクセスパスワードとを、要求メッセージを送信するユーザ装置に送信する。具体的な実施の際、制御装置は、複数の無線ネットワークの負荷状態であって、複数の無線ネットワークの現アクセス条件パラメータによって表される負荷状態に従って、負荷が小さい順でユーザ装置に複数の無線ネットワークにそれぞれ対応する識別子とアクセスパスワードとを別々に送信し、その結果、ユーザ装置は、低負荷の無線ネットワークに選択的かつ好適にアクセスできる。無線ネットワークの上記既定のアクセス条件パラメータは、無線ネットワークの共有状態をさらに含んでよく、無線ネットワークの共有状態は、共有の有効化または共有の無効化を含むことに留意されたい。無線ネットワークの所有者が無線ネットワークの共有を有効化する場合、すなわち、既定のアクセス条件パラメータにおける共有状態が共有の有効化を示す場合、制御装置は、無線ネットワークの現アクセス条件パラメータが、無線ネットワークの既定のアクセス条件パラメータ内の、共有状態以外の、別のパラメータの要件を満足するかどうかを判定する。
【００５３】
本発明の別の実施形態では、ユーザ装置が、無線ネットワークの受信した識別子と受信したアクセスパスワードとに従って、無線ネットワークにアクセスした後、ユーザ装置は、無線ネットワークの使用の状態情報に従って、ユーザ装置による無線ネットワークへの接続の状態パラメータを制御装置にさらに送信してよい。
【００５４】
したがって、ユーザ装置が送信した無線ネットワークの接続の状態パラメータに従って、ユーザ装置による無線ネットワークへの接続の状態パラメータが無線ネットワークの既定のアクセス条件パラメータを満足しないことを判定すると、制御装置は、切断要求メッセージを無線ネットワークのアクセス装置に送信し、切断要求メッセージは、ユーザ装置の識別子を含み、その結果、アクセス装置は、切断要求メッセージに含まれるユーザ装置の識別子に従って、ユーザ装置を無線ネットワークから切断する。
【００５５】
状態パラメータは、ユーザ装置による無線ネットワークへのアクセスの継続時間、または無線ネットワークへの接続のトラフィックを含んでよく、状態パラメータは、上記パラメータ情報を含むが、これに限定されるものではない。
【００５６】
無線ネットワークの上記既定のアクセス条件パラメータは、無線ネットワークの使用状態を表すパラメータ、例えば、無線ネットワークへのアクセスを許可された上記最長継続時間、または無線ネットワークへのアクセスを許可された上記トラフィックもしくは帯域幅を含んでよく、無線ネットワークの負荷状態を表すパラメータ、例えば、無線ネットワークへのアクセスを許可されたユーザ装置の識別子、または無線ネットワークへのアクセスを許可されたユーザ装置の最大数をさらに含んでよいことに留意されたい。本実施形態では、無線ネットワークの既定の条件パラメータが使用状態表す上記パラメータを含む場合、ユーザ装置が、無線ネットワークにアクセスした後、ユーザ装置は、ユーザ装置による無線ネットワークの使用の状態情報に従って、ユーザ装置による無線ネットワークへの接続の状態パラメータを制御装置にさらに送信してよい。
【００５７】
本発明の本実施形態では、制御装置は、ユーザ装置が送信し、かつ少なくとも1つの無線ネットワークの識別子を運ぶ無線ネットワークアクセス要求メッセージを受信し、無線ネットワークの識別子に従って、無線ネットワークの識別子に対応する制御ポリシーパラメータを判定する。制御ポリシーパラメータは、既定のアクセス条件パラメータを含むことから、制御装置は、ユーザ装置によってアクセスされる無線ネットワークの現アクセス条件パラメータが既定のアクセス条件パラメータを満足することを判定すると、無線ネットワークの制御ポリシーパラメータをユーザ装置に送信し、その結果、ユーザ装置は、無線ネットワークの識別子とアクセスパスワードとであって、制御ポリシーパラメータにある識別子とアクセスパスワードとに従って、無線ネットワークにアクセスする。無線ネットワークにアクセスするための制御ポリシーパラメータが設定され、その結果、無線ネットワークアクセスを柔軟に制御できる。これは、無線ネットワークリソースの浪費を防止するだけでなく、無線ネットワークアクセス品質に影響しない。
【００５８】
図2は、本発明の別の実施形態による無線ネットワークアクセス制御方法のシグナリング図である。図2に示すように、無線ネットワークアクセス制御方法は、以下の装置、すなわち、ユーザ装置と、アクセス装置と、設定装置と、制御装置とを含む。ユーザ装置は、例えば、携帯電話またはタブレットコンピュータである。ユーザ装置に対応するユーザがWiFiネットワークなどの無線ネットワークにアクセスしてネットワークサービスを実行する必要がある場合、ユーザは、アクセス装置を用いて、対応する無線ネットワークにアクセスする必要がある。設定装置とアクセス装置とは、一体化されてもよいし、別個に配置されてもよく、設定装置は、各無線ネットワークの所有者によって主に使用される、すなわち、各無線ネットワークに対応するアクセス装置の所有者が、アクセス装置に対応する設定装置を用いて、所有者の無線ネットワークの制御ポリシーパラメータを設定する。制御装置は、ユーザ装置がアクセス装置に対応する無線ネットワークへのアクセスを必要とする場合、無線ネットワークの制御ポリシーパラメータを用いて、ユーザ装置が無線ネットワークにアクセスできるかどうかに関する制御処理を行うように主に構成される。本実施形態において提供される無線ネットワークアクセス制御方法は、以下のステップを含む。
【００５９】
201．設定装置は、無線ネットワークの既定のアクセス条件パラメータを設定する。
【００６０】
202．設定装置は、無線ネットワークの既定のアクセス条件パラメータを無線ネットワークのアクセス装置に送信する。
【００６１】
203．アクセス装置は、無線ネットワークの既定のアクセス条件パラメータを保存する。
【００６２】
アクセス装置は、無線ルータまたはスイッチなどの装置であってよいが、これに限定されるものではない。
【００６３】
204．設定装置は、無線ネットワークの既定のアクセス条件パラメータを制御装置に送信する。
【００６４】
205．制御装置は、無線ネットワークの識別子に対応する既定のアクセス条件パラメータを無線ネットワークの識別子に対応する制御ポリシーパラメータリストに保存する。
【００６５】
206．ユーザ装置は、アクセス要求メッセージを制御装置に送信する。
【００６６】
アクセス要求メッセージは、ユーザ装置が見つけた近くの無線ネットワークの識別子を含む。複数の無線ネットワークの識別子が付近で見つかったとすると、複数の無線ネットワークの識別子は、制御装置にすべて送信される。本発明の別の実施形態では、複数の無線ネットワークの識別子が見つかると、ユーザ装置は、見つかった無線ネットワークの信号強度に従って、見つかった無線ネットワークを並べ替えてよい。したがって、アクセス要求メッセージに含まれる複数の無線ネットワークの識別子は、ユーザ装置が見つかった無線ネットワークを並べ替えた後に取得された信号強度が高い、無線ネットワークの既定数の識別子である。
【００６７】
具体的には、アクセス要求メッセージは、音声チャネルまたはSMSメッセージチャネルなどのチャネルを用いて制御装置に送信されてよい。SMSメッセージチャネルのシナリオでは、制御装置は、対応するSMSメッセージ番号を必要とし、ユーザ装置は、アクセス要求メッセージをSMSメッセージの内容として使用し、SMSメッセージの内容をSMSメッセージ番号に対応する制御装置に送信する。
【００６８】
207．制御装置は、アクセス要求メッセージに含まれる無線ネットワークの識別子に従って、無線ネットワークの識別子に対応する既定のアクセス条件パラメータを取得する。
【００６９】
208．制御装置は、既定のアクセス条件パラメータに従って、無線ネットワークの現アクセス条件パラメータが既定のアクセス条件パラメータを満足するかどうかを判定する。
【００７０】
209．無線ネットワークの現アクセス条件パラメータが既定のアクセス条件パラメータを満足する場合、制御装置は、無線ネットワークの識別子とアクセスパスワードとをユーザ装置に送信する。
【００７１】
具体的には、制御装置がアクセス要求メッセージに含まれる無線ネットワークの識別子に従って、無線ネットワークの識別子に対応する既定のアクセス条件パラメータを取得した場合に、ユーザ装置が複数の無線ネットワークの識別子をアップロードした場合、制御装置は、既定の規則に従って、その識別子とアクセスパスワードとが好ましくは返される無線ネットワークを判定してよい。例えば、無線ネットワークAへのアクセスが許可される上限は、5つのユーザ装置であり、また無線ネットワークBへのアクセスが許可される上限は、5つのユーザ装置である。5つのユーザ装置が無線ネットワークAに現在アクセスしており、また5つのユーザ装置が無線ネットワークBに現在アクセスしている場合、無線ネットワークAおよび無線ネットワークBの識別子とアクセスパスワードとは、返されない。別の例では、無線ネットワークAに現在アクセスしているユーザ装置の数が5未満、例えば、1つのユーザ装置であり、かつ無線ネットワークBに現在アクセスしているユーザ装置の数が5未満、例えば、3つのユーザ装置である場合に、既定の規則が、ただ1つの利用可能な無線ネットワークの識別子とアクセスパスワードとをユーザ装置に返すことである場合、無線ネットワークAおよび無線ネットワークBのアクセス負荷に従って、無線ネットワークAの識別子とアクセスパスワードとがユーザ装置に好適には送信される。
【００７２】
具体的には、制御装置は、音声チャネルまたはSMSメッセージチャネルなどのチャネルを用いて、無線ネットワークAの識別子とアクセスパスワードとをユーザ装置に送信してよい。
【００７３】
210．ユーザ装置は、無線ネットワークの識別子とアクセスパスワードとを用いて、無線ネットワークにアクセスする。
【００７４】
無線ネットワークの既定のアクセス条件パラメータが無線ネットワークへのアクセスを許可されたトラフィックと継続時間を含む場合、制御装置は、ユーザ装置による無線ネットワークへのアクセスのトラフィックと継続時間とを監視する必要がある。例えば、無線ネットワークへの1回の接続の最長使用継続時間が1時間である場合に、ユーザ装置による無線ネットワークへのアクセスの継続時間が1時間に至った場合、制御装置は、無線ネットワークのアクセス装置に、例えば、ユーザ装置の無線接続を断つための要求を送信してよく、アクセス装置は、ユーザ装置の無線接続を断つための要求を受信すると、ユーザ装置の無線接続を断つ。この場合、ユーザ装置は、制御装置から無線ネットワークの識別子とアクセスパスワードとを再度取得して、アクセスを再度行う必要がある。
【００７５】
あるいは、ユーザ装置は、無線ネットワークへの接続の状態パラメータを定期的に更新する。例えば、ユーザ装置は、ユーザ装置による無線ネットワークへの接続の継続時間およびトラフィックなどの状態パラメータを制御装置に送信し、その結果、制御装置は、無線ネットワークへのユーザ装置のアクセスに対して効果的な制御および判定を行う。
【００７６】
無線ネットワークの所有者が、設定装置を用いて、無線ネットワークの既定のアクセス条件パラメータを修正する場合、例えば、接続されるユーザ装置の数、帯域幅、または最長アクセス継続時間を修正する場合、設定装置は、修正した無線ネットワークの既定のアクセス条件パラメータを無線ネットワークのアクセス装置と制御装置との上に保存する必要があることに留意されたい。
【００７７】
無線ネットワークの所有者が、設定装置を用いて、無線ネットワークの既定のアクセス条件パラメータを修正した後、ユーザ装置は、無線ネットワークにたぶんアクセスできない。この場合、ユーザ装置は、上記ステップ206〜209を再度行い、無線ネットワークアクセスプロシージャを実行する必要がある。
【００７８】
本発明の本実施形態では、ユーザ装置が送信したアクセス要求メッセージを受信すると、制御装置は、無線ネットワークの既定のアクセス条件パラメータであって、所有者が設定した既定のアクセス条件パラメータに従って、最適な無線ネットワークの識別子とアクセスパスワードとを選択し、かつ識別子とアクセスパスワードとをユーザ装置に送信してよく、その結果、ユーザ装置は、最適な無線ネットワークの識別子とアクセスパスワードとに従って、無線ネットワークにアクセスし、無線ネットワークアクセスを柔軟に制御できる。これは、無線ネットワークリソースの浪費を防止するだけでなく、無線ネットワークアクセス品質に影響しない。
【００７９】
図3は、本発明の一実施形態による無線ネットワークアクセス制御装置の概略的な構造図である。図3に示すように、制御装置は、
ユーザ装置が送信した無線ネットワークアクセス要求メッセージを受信するように構成される受信ユニット11であって、無線ネットワークアクセス要求メッセージは、少なくとも1つの無線ネットワークの識別子を含む、受信ユニット11と、
無線ネットワークの識別子に対応する既定のアクセス条件パラメータを取得するように構成される処理ユニット12であって、
処理ユニット12が、既定のアクセス条件パラメータに従って、無線ネットワークの現アクセス条件パラメータが既定のアクセス条件パラメータを満足することを判定すると、無線ネットワークの識別子とアクセスパスワードとをユーザ装置に送信するように送信ユニット13に命令するようにさらに構成される、処理ユニット12と、
無線ネットワークの識別子とアクセスパスワードとをユーザ装置に送信するように構成される送信ユニット13であって、その結果、ユーザ装置は、無線ネットワークの識別子とアクセスパスワードとに従って、無線ネットワークにアクセスし、現アクセス条件パラメータは、制御装置が取得した無線ネットワークの現アクセス条件パラメータである、送信ユニット13と、
を備える。
【００８０】
処理ユニット12が、無線ネットワークの現アクセス条件パラメータが既定のアクセス条件パラメータを満足し得ないことを判定した場合、ユーザ装置が無線ネットワークにアクセスするプロシージャは終了することに留意されたい。
【００８１】
受信ユニット11は、
設定装置が送信した無線ネットワークの既定のアクセス条件パラメータを受信する
ようにさらに構成される。
【００８２】
本装置は、
無線ネットワークの識別子に対応する既定のアクセス条件パラメータを無線ネットワークの識別子に対応する制御ポリシーパラメータリストに保存するように構成される、保存ユニット14
をさらに備える。処理ユニット12は、無線ネットワークアクセス要求メッセージ内の無線ネットワークの識別子に従って、無線ネットワークの識別子に対応する制御ポリシーパラメータリストを問い合わせて、無線ネットワークの識別子に対応する既定のアクセス条件パラメータを取得するように特に構成される。
【００８３】
受信ユニット11は、
ユーザ装置が送信した無線ネットワークへの接続の状態パラメータを受信する
ようにさらに構成される。
【００８４】
処理ユニット12は、状態パラメータが無線ネットワークの既定のアクセス条件パラメータを満足しないことを判定すると、切断要求を無線ネットワークのアクセス装置に送信するように送信ユニット13に命令するようにさらに構成される。
【００８５】
送信ユニット13は、切断要求メッセージを無線ネットワークのアクセス装置に送信するようにさらに構成され、切断要求メッセージは、ユーザ装置の識別子を含み、その結果、アクセス装置は、切断要求メッセージ内のユーザ装置の識別子に従って、ユーザ装置を無線ネットワークから切断する。
【００８６】
受信ユニット11は、音声チャネルまたはSMSメッセージチャネルを用いて、ユーザ装置が送信した無線ネットワークアクセス要求メッセージを受信してよいことに留意されたい。
【００８７】
送信ユニット13は、音声チャネルまたはSMSメッセージチャネルを用いて、無線ネットワークの識別子とアクセスパスワードとをユーザ装置に送信してよい。
【００８８】
既定のアクセス条件パラメータは、以下のパラメータ、すなわち、無線ネットワークへのアクセスを許可されたユーザ装置の識別子、無線ネットワークへのアクセスを許可されたユーザ装置の最大数、無線ネットワークへのアクセスを許可された最長継続時間、または無線ネットワークへのアクセスを許可されたトラフィックもしくは帯域幅のうちの少なくとも1つまたは任意の組み合わせを含む。
【００８９】
本実施形態における制御装置は、図1または図2に示す方法実施形態における技術的解決策を実行するように構成されてよく、制御装置の実施原理および技術的な効果は、方法実施形態の実施原理および技術的な効果と同様である。ここでは細部を繰り返し説明しない。
【００９０】
図4は、本発明の別の実施形態による無線ネットワークアクセス制御装置の概略的な構造図である。図4に示すように、制御装置は、
受信機21と、送信機22と、バスを用いて受信機21および送信機22に接続されるプロセッサ23と
を備える。受信機21は、ユーザ装置が送信した無線ネットワークアクセス要求メッセージを受信するように構成され、無線ネットワークアクセス要求メッセージは、少なくとも1つの無線ネットワークの識別子を含み、
プロセッサ23は、図1または図2において説明した無線ネットワークアクセス制御方法における以下、すなわち、無線ネットワークの識別子に対応する既定のアクセス条件パラメータを取得するステップと、既定のアクセス条件パラメータに従って、無線ネットワークの現アクセス条件パラメータが既定のアクセス条件パラメータを満足することを判定すると、無線ネットワークの識別子とアクセスパスワードとをユーザ装置に送信するように送信機22に命令するステップとを行うように構成され、
送信機22は、無線ネットワークの識別子とアクセスパスワードとをユーザ装置に送信するように構成され、その結果、ユーザ装置は、無線ネットワークの識別子とアクセスパスワードとに従って、無線ネットワークにアクセスし、現アクセス条件パラメータは、制御装置が取得した無線ネットワークの現アクセス条件パラメータである。
【００９１】
受信機21は、設定装置が送信した無線ネットワークの既定のアクセス条件パラメータを受信するようにさらに構成される。
【００９２】
プロセッサ23は、無線ネットワークの識別子に対応する既定のアクセス条件パラメータを無線ネットワークの識別子に対応する制御ポリシーパラメータリストに保存するようにさらに構成される。
【００９３】
アクセス条件パラメータは、以下のパラメータ、すなわち、無線ネットワークへのアクセスを許可されたユーザ装置の識別子、無線ネットワークへのアクセスを許可されたユーザ装置の最大数、無線ネットワークへのアクセスを許可された最長継続時間、または無線ネットワークへのアクセスを許可されたトラフィックもしくは帯域幅のうちの少なくとも1つまたは任意の組み合わせを含む。
【００９４】
プロセッサ23は、無線ネットワークアクセス要求メッセージ内の無線ネットワークの識別子に従って、無線ネットワークの識別子に対応する制御ポリシーパラメータリストを問い合わせて、無線ネットワークの識別子に対応する既定のアクセス条件パラメータを取得するようにさらに構成される。
【００９５】
受信機21は、ユーザ装置が送信した無線ネットワークへの接続の状態パラメータを受信するようにさらに構成される。
【００９６】
プロセッサ23は、状態パラメータが無線ネットワークの既定のアクセス条件パラメータを満足しないことを判定すると、切断要求を無線ネットワークのアクセス装置に送信するように送信機22に命令するようにさらに構成される。
【００９７】
送信機22は、切断要求メッセージを無線ネットワークのアクセス装置に送信するようにさらに構成され、切断要求メッセージは、ユーザ装置の識別子を含み、その結果、アクセス装置は、切断要求メッセージ内のユーザ装置の識別子に従って、ユーザ装置を無線ネットワークから切断する。
【００９８】
受信機21は、音声チャネルまたはSMSメッセージチャネルを用いて、ユーザ装置が送信した無線ネットワークアクセス要求メッセージを受信するようにさらに構成される。
【００９９】
これに伴い、送信機22は、音声チャネルまたはSMSメッセージチャネルを用いて、無線ネットワークの識別子とアクセスパスワードとをユーザ装置に送信するようにさらに構成される。
【０１００】
本実施形態における制御装置は、図1または図2に示す方法実施形態における技術的解決策を実行するように構成されてよく、制御装置の実施原理および技術的な効果は、方法実施形態の実施原理および技術的な効果と同様である。ここでは細部を繰り返し説明しない。
【０１０１】
図5は、本発明の一実施形態による無線ネットワークアクセス制御システムの概略的な構造図である。図5に示すように、システムは、
制御装置31とユーザ装置32と
を含む。
【０１０２】
制御装置31は、図3または図4において説明される無線ネットワークアクセス制御装置を含む。
【０１０３】
ユーザ装置32は、無線ネットワークアクセス要求メッセージを制御装置31に送信するように構成され、無線ネットワークアクセス要求メッセージは、少なくとも1つの無線ネットワークの識別子を含み、その結果、制御装置31は、無線ネットワークに対応する既定のアクセス条件パラメータを取得し、無線ネットワークの現アクセス条件パラメータが既定のアクセス条件パラメータを満足することを判定すると、無線ネットワークの識別子とアクセスパスワードとを送信し、現アクセス条件パラメータは、制御装置が取得した無線ネットワークの現アクセス条件パラメータである。
【０１０４】
ユーザ装置32は、無線ネットワークの識別子とアクセスパスワードとであって、制御装置31が送信した識別子とアクセスパスワードとを用いて、無線ネットワークにアクセスするようにさらに構成される。
【０１０５】
本システムは、
無線ネットワークの既定のアクセス条件パラメータを設定するように構成される設定装置33であって、設定装置33は、無線ネットワークの既定のアクセス条件パラメータを無線ネットワークのアクセス装置34に送信するようにさらに構成され、その結果、アクセス装置34は、既定のアクセス条件パラメータを保存する、設定装置33
をさらに含む。設定装置33は、無線ネットワークの既定のアクセス条件パラメータを制御装置31に送信するようにさらに構成され、その結果、制御装置31は、無線ネットワークの既定のアクセス条件パラメータを無線ネットワークの識別子に対応する制御ポリシーパラメータリストに保存する。
【０１０６】
ユーザ装置32は、ユーザ装置32による無線ネットワークへの接続の状態パラメータを制御装置31に送信するようにさらに構成され、その結果、制御装置31は、状態パラメータが無線ネットワークの既定のアクセス条件パラメータを満足しないことを判定すると、切断要求メッセージを無線ネットワークのアクセス装置34に送信し、切断要求メッセージは、ユーザ装置32の識別子を含む。
【０１０７】
アクセス装置34は、切断要求メッセージ内のユーザ装置32の識別子に従って、無線ネットワークからユーザ装置32を切断するようにさらに構成される。
【０１０８】
既定のアクセス条件パラメータは、以下のパラメータ、すなわち、無線ネットワークへのアクセスを許可されたユーザ装置の識別子、無線ネットワークへのアクセスを許可されたユーザ装置の最大数、無線ネットワークへのアクセスを許可された最長継続時間、または無線ネットワークへのアクセスを許可されたトラフィックもしくは帯域幅のうちの少なくとも1つまたは任意の組み合わせを含む。
【０１０９】
当業者であれば、説明を簡便にする目的で、上記のシステムおよび装置の詳細な動作プロセスについては、上記方法実施形態における対応するプロセスを参照できることを明確に理解するはずであり、ここでは細部を繰り返し説明しない。
【０１１０】
最後に、上記実施形態は、本発明を限定するためのものではく、単に本発明の技術的解決策を説明するためのものにすぎないことに留意されたい。本発明は上記実施形態に関連して詳細に説明されているが、当業者は、本発明の実施形態の技術的解決策の保護範囲を逸脱することなく、さらに、前述の実施形態に記述されている技術的解決策に改変を加え、あるいは、前述の実施形態の一部の技術的特徴に対する等価の置換を行うことができることを理解するはずである。
【符号の説明】
【０１１１】
11  受信ユニット
12  処理ユニット
13  送信ユニット
14  保存ユニット
21  受信機
22  送信機
23  プロセッサ
31  制御装置
32  ユーザ装置
33  設定装置
34  アクセス装置
【図１】
2019110589.tif 000003
【図２】
2019110589.tif 000004
【図３】
2019110589.tif 000005
【図４】
2019110589.tif 000006
【図５】
2019110589.tif 000007
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
設定装置、無線アクセス装置、および制御装置を含むシステムであって、
前記設定装置は、前記無線アクセス装置の無線ネットワークの共有状態を有効に設定するように構成され、
前記無線ネットワークの前記共有状態が有効化された後、前記制御装置は、前記無線ネットワークの使用によるインターネットへのアクセスを要求するユーザ装置からのアクセス要求を、モバイルネットワークを介して受信するとともに、前記無線ネットワークの使用による前記ユーザ装置のインターネットへのアクセスを許可する制御処理を行うように構成され、
前記ユーザ装置が前記無線ネットワークを使用することによってインターネットにアクセスした後、前記無線アクセス装置は前記無線ネットワークを介して、前記ユーザ装置に関連するインターネットデータを処理するように構成される、システム。
【請求項２】
前記設定装置は、前記無線ネットワークにアクセスするために要求される既定のアクセス条件パラメータを設定するようにさらに構成される、請求項1に記載のシステム。
【請求項３】
前記既定のアクセス条件パラメータは、以下のパラメータ、前記無線ネットワークへのアクセスが許可されるユーザ装置の識別子、前記無線ネットワークへのアクセスが許可されるユーザ装置の最大数、前記無線ネットワークへのアクセスが許可される最長継続時間、または前記無線ネットワークへのアクセスが許可されるトラフィックもしくは帯域幅のうちの少なくとも1つを含む、請求項2に記載のシステム。
【請求項４】
前記無線アクセス装置は、無線ルータである、請求項1から3のいずれか一項に記載のシステム。
【請求項５】
前記無線ネットワークは、Wi-Fiネットワークである、請求項1から4のいずれか一項に記載のシステム。
【請求項６】
前記設定装置および前記無線アクセス装置は、1つの装置に一体化される、請求項1から5のいずれか一項に記載のシステム。
【請求項７】
前記制御装置は、前記ユーザ装置を前記無線ネットワークから切断するようにさらに構成される、請求項1から6のいずれか一項に記載のシステム。
【請求項８】
前記制御装置は、前記ユーザ装置による前記無線ネットワークの使用の状態情報を受信するようにさらに構成される、請求項1から7のいずれか一項に記載のシステム。
【請求項９】
前記制御装置は、前記無線アクセス装置の複数の無線ネットワークの識別子に従って、リストを確立するようにさらに構成される、請求項1から8のいずれか一項に記載のシステム。
【請求項１０】
前記制御処理は、前記無線ネットワークのアクセスパスワードを前記ユーザ装置に送信することを含む、請求項1から9のいずれか一項に記載のシステム。
【請求項１１】
設定装置によって、無線アクセス装置の無線ネットワークの共有状態を有効に設定するステップと、
前記無線ネットワークの前記共有状態が有効化された後、前記無線ネットワークの使用によるインターネットへのアクセスを要求するユーザ装置からのアクセス要求を、モバイルネットワークを介して制御装置によって受信するステップと、
前記制御装置によって、前記無線ネットワークの使用による前記ユーザ装置のインターネットへのアクセスを許可する制御処理を行うステップと、
前記ユーザ装置が前記無線ネットワークを使用することによってインターネットにアクセスした後、前記無線アクセス装置によって前記無線ネットワークを介して、前記ユーザ装置に関連するインターネットデータを処理するステップを含む、方法。
【請求項１２】
前記無線ネットワークにアクセスするために要求される既定のアクセス条件パラメータを設定するステップをさらに含む、請求項11に記載の方法。
【請求項１３】
前記既定のアクセス条件パラメータは、以下のパラメータ、前記無線ネットワークへのアクセスが許可されるユーザ装置の識別子、前記無線ネットワークへのアクセスが許可されるユーザ装置の最大数、前記無線ネットワークへのアクセスが許可される最長継続時間、または前記無線ネットワークへのアクセスが許可されるトラフィックもしくは帯域幅のうちの少なくとも1つを含む、請求項12に記載の方法。
【請求項１４】
前記無線アクセス装置は、無線ルータである、請求項11から13のいずれか一項に記載の方法。
【請求項１５】
前記無線ネットワークは、Wi-Fiネットワークである、請求項11から14のいずれか一項に記載の方法。
【請求項１６】
前記設定装置および前記無線アクセス装置は、1つの装置に一体化される、請求項11から15のいずれか一項に記載の方法。
【請求項１７】
前記制御装置によって、前記ユーザ装置を前記無線ネットワークから切断するステップをさらに含む、請求項11から16のいずれか一項に記載の方法。
【請求項１８】
前記制御装置によって、前記ユーザ装置による前記無線ネットワークの使用の状態情報を受信するステップをさらに含む、請求項11から17のいずれか一項に記載の方法。
【請求項１９】
前記制御装置によって、前記無線アクセス装置の複数の無線ネットワークの識別子に従って、リストを確立するステップをさらに含む、請求項11から18のいずれか一項に記載の方法。
【請求項２０】
前記制御処理は、前記無線ネットワークのアクセスパスワードを前記ユーザ装置に送信することを含む、請求項11から19のいずれか一項に記載の方法。
【請求項２１】
無線ルータおよび電子装置を含むシステムであって、
前記無線ルータは、前記無線ルータの無線ネットワークの共有状態を有効に設定するように構成され、
前記無線ネットワークの前記共有状態が有効化された後、前記電子装置は、前記無線ネットワークの使用によるインターネットへのアクセスを要求するユーザ装置からのアクセス要求を、モバイルネットワークを介して受信するとともに、前記無線ネットワークの使用による前記ユーザ装置のインターネットへのアクセスを許可する制御処理を行うように構成され、
前記ユーザ装置が前記無線ネットワークの使用することによってインターネットにアクセスした後、前記無線ルータは前記無線ネットワークを介して、前記ユーザ装置に関連するインターネットデータを処理するようにさらに構成される、システム。
【外国語明細書】
2019110589000001.pdf